(57)【要約】【課題】本発明は除湿装置に関するもので、効果的な排熱対策がとれることを目的とするものである。【解決手段】そしてこの目的を達成するために本発明は、吸気口２と、排気口３と、排気口４を有する本体ケース１内にヒートポンプ５を備え、放熱器７は、放熱器７ａと放熱器７ｂとから形成し、回動自在に設けた除湿ローター１０の放湿部１２は放湿部１２ａと放湿部１２ｂとから形成し、吸気口２から吸気した空気を、放熱器７ａ、放湿部１２ａ、放熱器７ｂ、放湿部１２ｂ、吸熱器９、吸湿部１３を順次介して排気口３へと送風する送風手段１４と、放熱器７ａ、放湿部１２ａ、放熱器７ｂ、放湿部１２ｂを順次介して排気口４へと送風する送風手段１５を設け、排気口４には、屋外と連通する連通手段１６を備えた構成とした。【選択図】図１
2011092867.tif 000002
【特許請求の範囲】
【請求項１】
吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記放熱器は、第一の放熱器と第二の放熱器とから形成し、前記本体ケース内において、前記第一の放熱器および前記吸熱器と、前記第二の放熱器との間の空間に回動自在に除湿ローターを設け、この除湿ローターは放湿部と吸湿部とからなり、前記放湿部は、第一の放湿部と第二の放湿部とから形成し、前記吸湿部は前記吸熱器と前記排気口との間の風路に設け、前記第一の放湿部は前記第一の放熱器と前記第二の放熱器との間の風路に設け、前記第二の放湿部は前記第二の放熱器と前記吸熱器との間の風路に設け、前記吸気口から前記本体ケース内に吸気した空気を前記第一の放熱器、前記除湿ローターの前記第一の放湿部、前記第二の放熱器、前記除湿ローターの前記第二の放湿部、前記吸熱器、前記除湿ローターの前記吸湿部を順次介して前記第一の排気口へと送風する第一の送風手段と、前記吸気口から前記本体ケース内に吸気した空気を前記第一の放熱器、前記除湿ローターの前記第一の放湿部、前記第二の放熱器、前記除湿ローターの前記第二の放湿部を順次介して前記第二の排気口へと送風する第二の送風手段を設けるとともに、前記第二の排気口には、屋外と連通する連通手段を備えた除湿装置。
【請求項２】
除湿ローターの前記放湿部である、前記第一の放湿部は、前記除湿ローターの回転方向に対して前記放湿部の下流側に位置し、前記第二の放湿部は、前記除湿ローターの回転方向に対して前記放湿部の上流側に位置する構成とした請求項１に記載の除湿装置。
【請求項３】
放熱器である、前記第一の放熱器は、ヒートポンプを流れる冷媒の流れ方向に対して、上流側に位置し、前記第二の放熱器は、ヒートポンプを流れる冷媒の流れ方向に対して、下流側に位置した構成とした、請求項２に記載の除湿装置。
【請求項４】
第一の放熱器の表面積は、第二の放熱器の表面積より大きい構成とした請求項３に記載の除湿装置。
【請求項５】
第一の放湿部の表面積は、第二の放湿部の表面積より小さい構成とした請求項３または４に記載の除湿装置。
【請求項６】
吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記放熱器は、第一の放熱器と第二の放熱器とから形成し、前記本体ケース内において、前記第一の放熱器および前記吸熱器と、前記第二の放熱器との間の空間に回動自在に除湿ローターを設け、この除湿ローターは放湿部と吸湿部とからなり、前記放湿部は、第一の放湿部と第二の放湿部とから形成し、前記吸湿部は前記吸熱器と前記第一の排気口との間の風路に設け、前記第一の放湿部は前記第一の放熱器と前記第二の放熱器との間の風路に設け、前記第二の放湿部は前記第二の放熱器と前記吸熱器との間の風路に設け、前記吸気口から前記本体ケース内に吸気した空気を前記第一の放熱器、前記除湿ローターの前記第一の放湿部、前記吸熱器、前記除湿ローターの前記吸湿部を順次介して前記第一の排気口へと送風する第一の送風手段と、前記吸気口から前記本体ケース内に吸気した空気を前記第一の放熱器、前記除湿ローターの前記第一の放湿部、前記第二の放熱器、前記除湿ローターの前記第二の放湿部を順次介して前記第二の排気口へと送風する第二の送風手段を設けるとともに、前記第二の排気口には、屋外と連通する連通手段を備えた除湿装置。
【請求項７】
除湿ローターの前記放湿部である、前記第一の放湿部は、前記除湿ローターの回転方向に対して前記放湿部の下流側に位置し、前記第二の放湿部は、前記除湿ローターの回転方向に対して前記放湿部の上流側に位置する構成とした請求項６に記載の除湿装置。
【請求項８】
放熱器である、前記第一の放熱器は、ヒートポンプを流れる冷媒の流れ方向に対して、上流側に位置し、前記第二の放熱器は、ヒートポンプを流れる冷媒の流れ方向に対して、下流側に位置した構成とした、請求項７に記載の除湿装置。
【請求項９】
第一の放熱器の表面積は、第二の放熱器の表面積より大きい構成とした請求項８に記載の除湿装置。
【請求項１０】
第一の放湿部の表面積は、第二の放湿部の表面積より大きい構成とした請求項８または９に記載の除湿装置。
【請求項１１】
連通手段は、略円筒形状のダクト部で、このダクト部の外周部に断熱手段を設けた請求項１〜１０のいずれか一つに記載の除湿装置。
【発明の詳細な説明】
【技術分野】
【０００１】
本発明は、除湿ローターを用いた除湿装置に関するものである。
【背景技術】
【０００２】
従来のこの種除湿装置の構造は、以下のようになっていた。
【０００３】
すなわち、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記吸熱器、前記放熱器を順次介して排気口へと送風する送風手段を備えた構成となっていた（例えば特許文献１参照）。
【先行技術文献】
【特許文献】
【０００４】
【特許文献１】特開昭５９−１５０２３１号公報
【発明の概要】
【発明が解決しようとする課題】
【０００５】
上記従来例において、室内でヒートポンプにより除湿運転すると、除湿すると共に、ヒートポンプより熱が発生するので、この熱を排熱することが検討されている。しかしながら、単に、ヒートポンプから発生する熱を屋外に排熱すると、屋外の空気が窓枠等の隙間から室内に入ることとなる。ここで、屋外が、梅雨などの高湿度な場合には、室内の空気に比べて高湿度な空気が室内に入ることとなり、室内の湿度が上昇し、除湿能力が低下するので、効果的な排熱対策がとれないものであった。
【０００６】
そこで本発明は、効果的な排熱対策がとれることを目的とするものである。
【課題を解決するための手段】
【０００７】
そしてこの目的を達成するために本発明は、吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記放熱器は、第一の放熱器と第二の放熱器とから形成し、前記本体ケース内において、前記第一の放熱器および前記吸熱器と、前記第二の放熱器との間の空間に回動自在に除湿ローターを設け、この除湿ローターは放湿部と吸湿部とからなり、前記放湿部は、第一の放湿部と第二の放湿部とから形成し、前記吸湿部は前記吸熱器と前記排気口との間の風路に設け、前記第一の放湿部は前記第一の放熱器と前記第二の放熱器との間の風路に設け、前記第二の放湿部は前記第二の放熱器と前記吸熱器との間の風路に設け、前記吸気口から前記本体ケース内に吸気した空気を前記第一の放熱器、前記除湿ローターの前記第一の放湿部、前記第二の放熱器、前記除湿ローターの前記第二の放湿部、前記吸熱器、前記除湿ローターの前記吸湿部を順次介して前記第一の排気口へと送風する第一の送風手段と、前記吸気口から前記本体ケース内に吸気した空気を前記第一の放熱器、前記除湿ローターの前記第一の放湿部、前記第二の放熱器、前記除湿ローターの前記第二の放湿部を順次介して前記第二の排気口へと送風する第二の送風手段を設けるとともに、前記第二の排気口には、屋外と連通する連通手段を備えたものである。これにより初期の目的を達成するものである。
【発明の効果】
【０００８】
以上のように本発明は、吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記放熱器は、第一の放熱器と第二の放熱器とから形成し、前記本体ケース内において、前記第一の放熱器および前記吸熱器と、前記第二の放熱器との間の空間に回動自在に除湿ローターを設け、この除湿ローターは放湿部と吸湿部とからなり、前記放湿部は、第一の放湿部と第二の放湿部とから形成し、前記吸湿部は前記吸熱器と前記排気口との間の風路に設け、前記第一の放湿部は前記第一の放熱器と前記第二の放熱器との間の風路に設け、前記第二の放湿部は前記第二の放熱器と前記吸熱器との間の風路に設け、前記吸気口から前記本体ケース内に吸気した空気を前記第一の放熱器、前記除湿ローターの前記第一の放湿部、前記第二の放熱器、前記除湿ローターの前記第二の放湿部、前記吸熱器、前記除湿ローターの前記吸湿部を順次介して前記第一の排気口へと送風する第一の送風手段と、前記吸気口から前記本体ケース内に吸気した空気を前記第一の放熱器、前記除湿ローターの前記第一の放湿部、前記第二の放熱器、前記除湿ローターの前記第二の放湿部を順次介して前記第二の排気口へと送風する第二の送風手段を設けるとともに、前記第二の排気口には、屋外と連通する連通手段を備えたものであるので、効果的な排熱対策がとることができる。
【０００９】
すなわち、本発明においては、吸気口から本体ケース内に吸気した空気を第一の放熱器、除湿ローターの第一の放湿部、第二の放熱器、除湿ローターの第二の放湿部、吸熱器、除湿ローターの吸湿部を順次介して第一の排気口へと送風する第一の送風手段と、吸気口から本体ケース内に吸気した空気を第一の放熱器、除湿ローターの第一の放湿部、第二の放熱器、除湿ローターの第二の放湿部を順次介して第二の排気口へと送風する第二の送風手段を設けるとともに、第二の排気口には、屋外と連通する連通手段を備えたので、除湿ローターの吸湿部で吸湿した室内の湿気を、除湿ローターである第一の放湿部と第二の放湿部によって加熱した室内の空気が取り込み、屋外に排気することができるものである。
【００１０】
結果として、高温で高湿な空気を屋外に排気することができるので、効果的な排熱対策をとることができる。
【図面の簡単な説明】
【００１１】
【図１】本発明の実施の形態１の概略断面を示す図
【図２】同放熱器の概略図（（ａ）放熱器７ａを示す概略図、（ｂ）放熱器７ｂを示す概略図）
【図３】本発明の実施の形態２の概略断面を示す図
【図４】同放熱器の概略図（（ａ）放熱器２７ａを示す概略図、（ｂ）放熱器２７ｂを示す概略図）
【発明を実施するための形態】
【００１２】
以下本発明の実施形態について図面を参照しながら説明する。
【００１３】
（実施の形態１）
図１に示すように、本実施形態の除湿装置は、略箱形状の本体ケース１を備え、この本体ケース１の前面側側面には、略四角形状の吸気口２と、天面には、略四角形状の排気口３と、背面側側面には、略円筒形状の排気口４を設けている。この本体ケース１内には、ヒートポンプ５を備え、このヒートポンプ５は、圧縮機６と、圧縮機６の下流に順次設けた放熱器７、膨張手段８、吸熱器９とにより形成している。放熱器７は、放熱器７ａと放熱器７ｂとから形成し、この放熱器７ａおよび吸熱器９と、放熱器７ｂとの間に回動自在に円板形状の除湿ローター１０を設け、この除湿ローター１０を回動する回動手段である電動機１１を備えている。除湿ローター１０は放湿部１２と吸湿部１３とからなり、この放湿部１２は、放湿部１２ａと放湿部１２ｂとから形成している。吸湿部１３は吸熱器９と排気口３との間の風路に設け、放湿部１２ａは放熱器７ａと放熱器７ｂとの間の風路に設け、放湿部１２ｂは放熱器７ｂと吸熱器９との間の風路に設けている。
【００１４】
除湿ローター１０の吸湿部１３と排気口３との間の風路に送風手段１４を設け、この送風手段１４によって、吸気口２から本体ケース１内に吸気した空気を、放熱器７ａ、除湿ローター１０の放湿部１２ａ、放熱器７ｂ、除湿ローター１０の放湿部１２ｂ、吸熱器９、除湿ローター１０の吸湿部１３を順次介して排気口３へと送風される。
【００１５】
すなわち、送風手段１４によって吸気口２から本体ケース１内に吸気した空気は、放熱器７である放熱器７ａで加熱され、高温で相対湿度の低い空気となり、除湿ローター１０の放湿部１２である放湿部１２ａへ送風される。次にこの放湿部１２ａに送風された空気は、放熱器７である放熱器７ｂで加熱され、高温で相対湿度の低い空気となり、除湿ローター１０の放湿部１２である放湿部１２ｂへ送風される。放湿部１２ａおよび放湿部１２ｂの湿気を取り込み湿度の高い状態となって吸熱器９へ送られる。この吸熱器９で結露させて除湿し、吸湿部１３に達する。そこで、乾燥状態となった除湿ローター１０の放湿部１２が回動手段である電動機１１によって回転し、吸湿部１３となり、この吸湿部１３で吸熱器９で除湿されなかった湿度を吸湿し除湿し、この除湿された空気が排気口３から室内へ送風されるものである。
【００１６】
このように、放湿部１２ａと放湿部１２ｂとからなる放湿部１２に、吸気口２から本体ケース１内に吸気した空気を並列に流す場合に比べ、吸気口２から本体ケース１内に吸気した空気を直列に流す、つまり、まず放湿部１２ａに、次に放湿部１２ｂに流すことにより、放湿部１２ａと放湿部１２ｂとからなる放湿部１２には、並列に流す場合に比べ倍の風量が流れることになるので、吸気口２から本体ケース１内に吸気した空気に、湿気を取り込み湿度の高い状態にすることができる。
【００１７】
本実施形態における特徴は、吸気口２から本体ケース１内に吸気した空気を、放熱器７ａ、除湿ローター１０の放湿部１２ａ、放熱器７ｂ、除湿ローター１０の放湿部１２ｂを順次介して排気口４へと送風する送風手段１５を設けるとともに、排気口４には、屋外と連通する連通手段１６を備えた点である。
【００１８】
すなわち、本実施形態においては、吸気口２から本体ケース１内に吸気した空気を放熱器７ａ、除湿ローター１０の放湿部１２ａ、放熱器７ｂ、除湿ローター１０の放湿部１２ｂ、吸熱器９、除湿ローター１０の吸湿部１３を順次介して排気口３へと送風する送風手段１４と、吸気口２から本体ケース１内に吸気した空気を放熱器７ａ、除湿ローター１０の放湿部１２ａ、放熱器７ｂ、除湿ローター１０の放湿部１２ｂを順次介して排気口４へと送風する送風手段１５を設けるとともに、排気口４には、屋外と連通する連通手段１６を備えたので、除湿ローター１０の吸湿部１３で吸湿した室内の湿気を、除湿ローター１０である放湿部１２ａと放湿部１２ｂによって加熱した室内の空気が取り込み、屋外に排気することができるものである。
【００１９】
結果として、高温で高湿な空気を屋外に排気することができるので、効果的な排熱対策をとることができる。
【００２０】
また、除湿ローター１０の放湿部１２である、放湿部１２ａは、除湿ローター１０の回転方向に対して放湿部１２の下流側に位置し、放湿部１２ｂは、除湿ローター１０の回転方向に対して放湿部１２の上流側に位置する構成としたものである。具体的には、除湿ローター１０の放湿部１２は、略扇形状の放湿部１２ａと、略扇形状の放湿部１２ｂとから形成している。回動手段である電動機１１によって、除湿ローター１０を回動すると、除湿ローター１０の吸湿部１３が、放湿部１２ｂとなり、更に回動すると、放湿部１２ａとなるものである。すなわち、放湿部１２ａは、吸気口２から本体ケース１内に吸気した空気が放熱器７ａによって加熱され、この加熱された空気によって放湿され、放湿部１２ｂは、放湿部１２ａで放湿され、更に、放熱器７ｂによって加熱された空気によって放湿されるものである。つまり、放湿部１２ａに流れる空気は、放湿部１２ｂに流れる空気に比べ、絶対湿度の低い空気であり、放湿部１２ａに吸湿している湿気量は、放湿部１２ｂで吸湿している湿気量より少ないものである。
【００２１】
すなわち、吸湿している湿気量が放湿部１２ｂより少ない放湿部１２ａには、放湿部１２ｂに流れる空気に比べ、絶対湿度の低い空気を流し、吸湿している湿気量が放湿部１２ａより多い放湿部１２ｂには、放湿部１２ａ流れる空気に比べ、絶対湿度の高い空気が流れるので、放湿部１２ａと放湿部１２ｂの両方で効率的に放湿することができ、結果として屋外へ排気する湿気量を増加させることができる。
【００２２】
また、放熱器７である、放熱器７ａは、ヒートポンプ５を流れる冷媒の流れ方向に対して、上流側に位置し、放熱器７ｂは、ヒートポンプ５を流れる冷媒の流れ方向に対して、下流側に位置した構成としたものである。具体的には、放熱器７である、放熱器７ａと放熱器７ｂとは、直列に繋がっているので、ヒートポンプ５は、圧縮機６の下流に順次、放熱器７ａ、放熱器７ｂ、放熱器７、膨張手段８、吸熱器９を備えたものである。つまり、放熱器７ａ内の冷媒の温度は、放熱器７ｂ内の冷媒の温度に比べ高いものである。
【００２３】
すなわち、放熱器７ａには、放熱器７ｂに流れる冷媒に比べ、温度の高い冷媒を流し、放熱器７ｂには、放熱器７ａ流れる冷媒に比べ、温度の低い冷媒を流すことにより、放湿部１２ａには、放湿部１２ｂより温度の高い空気が流れる。つまり、吸湿している湿気量が放湿部１２ｂより少ない放湿部１２ａには、放湿部１２ｂに流れる空気に比べ、温度の高い空気を流し、吸湿している湿気量が放湿部１２ａより多い放湿部１２ｂには、放湿部１２ａ流れる空気に比べ、温度の低い空気が流れるので、放湿部１２ａと放湿部１２ｂの両方で効率的に放湿することができ、結果として屋外へ排気する湿気量を増加させることができる。
【００２４】
また、図２に示すように、放熱器７ａの表面積は、放熱器７ｂの表面積より大きい構成としたものである。具体的には、放熱器７ａは、複数の平板形状にフィン部１７ａと、この複数のフィン部１７ａを蛇腹状に貫通すると共に、複数のフィン部１７ａの隣り合うフィン部１７ａ同士を所定の距離を有し固定する円筒形状の管部１８ａとから形成している。同様に、放熱器７ｂは、複数の平板形状にフィン部１７ｂと、この複数のフィン部１７ｂを蛇腹状に貫通すると共に、複数のフィン部１７ｂの隣り合うフィン部１７ｂ同士を所定の距離を有し固定する円筒形状の管部１８ｂとから形成している。ここで、複数のフィン部１７ａの表面積が、複数のフィン部１７ｂの表面積より大きいものである。
【００２５】
すなわち、複数のフィン部１７ａの表面積が、複数のフィン部１７ｂの表面積より大きいことにより、放熱器７ａでは熱交換が促進され、放湿部１２ａには、放湿部１２ｂより温度の高い空気が流れる。つまり、吸湿している湿気量が放湿部１２ｂより少ない放湿部１２ａには、放湿部１２ｂに流れる空気に比べ、温度の高い空気を流し、吸湿している湿気量が放湿部１２ａより多い放湿部１２ｂには、放湿部１２ａ流れる空気に比べ、温度の低い空気が流れるので、放湿部１２ａと放湿部１２ｂの両方で効率的に放湿することができ、結果として屋外へ排気する湿気量を増加させることができる。
【００２６】
また、放湿部１２ａの表面積は、放湿部１２ｂの表面積より小さい構成としたものである。具体的には、放湿部１２ａの略扇形の角度が、放湿部１２ｂの略扇形の角度より小さいものである。
【００２７】
すなわち、放湿部１２ａの表面積は、放湿部１２ｂの表面積より小さいことにより、放湿部１２ａは、放湿部１２ｂより単位面積当たりの風量が多くなる。つまり、吸湿している湿気量が放湿部１２ｂより少ない放湿部１２ａに対して単位面積当たりの風量を多くするので、この放湿部１２ａに対しても十分に放湿作用を有することができ、放湿部１２ａと放湿部１２ｂの両方で効率的に放湿することができるので、結果として屋外へ排気する湿気量を増加させることができる。
【００２８】
また、連通手段１６は、略円筒形状のダクト部１６ａで、このダクト部１６ａの外周部に断熱手段を設けたものである。すなわち、ダクト部１６ａの外周部に断熱手段である断熱材１６ｂを設けたので、ダクト部１６ａから室内への放熱を抑制することができる。
【００２９】
（実施の形態２）
以下、本発明の実施の形態２における除湿装置について図面を参照しながら説明する。なお、実施の形態１の構成と同様の構成を有するものについては、同一符号を付してその説明を省略する。
【００３０】
実施の形態１と相違する点は、図３に示すように、送風手段１４、および送風手段１５の風路である。具体的には、放熱器２７ａと、放熱器２７ｂおよび吸熱器２９との間に回動自在に除湿ローター１０を設け、この除湿ローター１０は放湿部１２と吸湿部１３とからなり、放湿部１２は、放湿部１２ａと放湿部１２ｂとから形成している。吸湿部１３は吸熱器２９と排気口３との間の風路に設け、放湿部１２ａは放熱器２７ａと放熱器２７ｂとの間の風路に設け、放湿部１２ｂは放熱器２７ｂと吸熱器２９との間の風路に設けたものである。
【００３１】
除湿ローター１０の吸湿部１３と排気口３との間の風路に送風手段１４を設け、この送風手段１４によって、吸気口２から本体ケース１内に吸気した空気を放熱器２７ａ、除湿ローター１０の放湿部１２ａ、吸熱器２９、除湿ローター１０の吸湿部１３を順次介して排気口３へと送風される。
【００３２】
除湿ローター１０の放湿部１２ｂと排気口４との間の風路に送風手段１５を設け、この送風手段１５によって、吸気口２から本体ケース１内に吸気した空気を、放熱器２７ａ、除湿ローター１０の放湿部１２ａ、放熱器２７ｂ、除湿ローター１０の放湿部１２ｂを順次介して排気口４へと送風され、この排気口４から、連通手段１６を介して屋外へ排気される。
【００３３】
すなわち、吸気口２から本体ケース１内に吸気した空気は、放熱器２７ａ、除湿ローター１０の放湿部１２ａを通過後に、送風手段１４、および送風手段１５の風路に分かれるので、放熱器２７ｂで放出する熱量、および除湿ローター１０の放湿部１２ｂで放湿された湿気を全て、送風手段１５によって、屋外へ排気される。結果として、効果的な排熱対策をとることができる。
【００３４】
また、除湿ローター１０の放湿部１２である、放湿部１２ａは、除湿ローター１０の回転方向に対して放湿部１２の下流側に位置し、放湿部１２ｂは、除湿ローター１０の回転方向に対して放湿部１２の上流側に位置する構成としたものである。具体的には、除湿ローター１０の放湿部１２は、略扇形状の放湿部１２ａと、略扇形状の放湿部１２ｂとから形成している。回動手段である電動機１１によって、除湿ローター１０を回動すると、除湿ローター１０の吸湿部１３が、放湿部１２ｂとなり、更に回動すると、放湿部１２ａとなるものである。すなわち、放湿部１２ａは、吸気口２から本体ケース１内に吸気した空気が放熱器７ａによって加熱され、この加熱された空気によって放湿され、放湿部１２ｂは、放湿部１２ａで放湿され、更に、放熱器７ｂによって加熱された空気によって放湿されるものである。つまり、放湿部１２ａに吸湿している湿気量は、放湿部１２ｂで吸湿している湿気量より少ないものである。
【００３５】
すなわち、吸湿している湿気量が放湿部１２ａより多い放湿部１２ｂを通過した空気は、全て送風手段１５によって、屋外へ排気される。結果として屋外へ排気する湿気量を増加させることができる。
【００３６】
また、放熱器２７である、放熱器２７ａは、ヒートポンプ５を流れる冷媒の流れ方向に対して、上流側に位置し、放熱器２７ｂは、ヒートポンプ５を流れる冷媒の流れ方向に対して、下流側に位置した構成としたものである。具体的には、放熱器２７である、放熱器２７ａと放熱器２７ｂとは、直列に繋がっているので、ヒートポンプ５は、圧縮機６の下流に順次、放熱器２７ａ、放熱器２７ｂ、膨張手段８、吸熱器２９を備えたものである。つまり、放熱器２７ａ内の冷媒の温度は、放熱器２７ｂ内の冷媒の温度に比べ高いものである。また、吸気口２から本体ケース１内に吸気した空気は、放熱器２７ａ、除湿ローター１０の放湿部１２ａを通過後に、送風手段１４、および送風手段１５の風路に分かれるので、放熱器２７ｂ、除湿ローター１０の放湿部１２ｂを通過する風量は、放熱器２７ａ、除湿ローター１０の放湿部１２ａを通過する風量より小さいものである。
【００３７】
すなわち、放熱器２７ｂを通過する風量より大きい放熱器２７ａには、放熱器２７ｂに流れる冷媒に比べ、温度の高い冷媒を流し、放熱器２７ａを通過する風量より小さい放熱器２７ｂには、放熱器２７ａ流れる冷媒に比べ、温度の低い冷媒を流すので、放熱器２７ａと放熱器２７ｂの両方で効率的に空気を過熱することができるので、放湿部１２ａと放湿部１２ｂの両方で効率的に放湿することができ、結果として屋外へ排気する湿気量を増加させることができる。
【００３８】
また、図４に示すように、放熱器２７ａの表面積は、放熱器２７ｂの表面積より大きい構成としたものである。具体的には、放熱器２７ａは、複数の平板形状にフィン部３０ａと、この複数のフィン部３０ａを蛇腹状に貫通すると共に、複数のフィン部３０ａの隣り合うフィン部３０ａ同士を所定の距離を有し固定する円筒形状の管部３１ａとから形成している。同様に、放熱器２７ｂは、複数の平板形状にフィン部３０ｂと、この複数のフィン部３０ｂを蛇腹状に貫通すると共に、複数のフィン部３０ｂの隣り合うフィン部３０ｂ同士を所定の距離を有し固定する円筒形状の管部３１ｂとから形成している。ここで、複数のフィン部３０ａの表面積が、複数のフィン部３０ｂの表面積より大きいものである。また、吸気口２から本体ケース１内に吸気した空気は、放熱器２７ａ、除湿ローター１０の放湿部１２ａを通過後に、送風手段１４、および送風手段１５の風路に分かれるので、放熱器２７ｂ、除湿ローター１０の放湿部１２ｂを通過する風量は、放熱器２７ａ、除湿ローター１０の放湿部１２ａを通過する風量より小さいものである。
【００３９】
すなわち、放熱器２７ｂを通過する風量より大きい放熱器２７ａである複数のフィン部３０ａの表面積が、複数のフィン部３０ｂの表面積より大きく、放熱器２７ａを通過する風量より小さい放熱器２７ｂである複数のフィン部３０ｂの表面積が、フィン部３０ａの表面積より小さいので、放熱器２７ａと放熱器２７ｂの両方で効率的に加熱することができ、結果として屋外へ排気する湿気量を増加させることができる。
【００４０】
また、放湿部１２ａの表面積は、放湿部１２ｂの表面積より大きい構成としたものである。具体的には、放湿部１２ａの略扇形の角度が、放湿部１２ｂの略扇形の角度より大きいものである。また、吸気口２から本体ケース１内に吸気した空気は、放熱器２７ａ、除湿ローター１０の放湿部１２ａを通過後に、送風手段１４、および送風手段１５の風路に分かれるので、放熱器２７ｂ、除湿ローター１０の放湿部１２ｂを通過する風量は、放熱器２７ａ、除湿ローター１０の放湿部１２ａを通過する風量より小さいものである。
【００４１】
すなわち、放湿部１２ｂを通過する風量より大きい放湿部１２ａの表面積が、放湿部１２ｂの表面積より大きく、放湿部１２ａを通過する風量より小さい放湿部１２ｂの表面積が、放湿部１２ａの表面積より小さいので、放湿部１２ａと放湿部１２ｂの両方で効率的に除湿することができ、結果として屋外へ排気する湿気量を増加させることができる。
【産業上の利用可能性】
【００４２】
以上のように本発明は、吸気口と、第一の排気口と、第二の排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記放熱器は、第一の放熱器と第二の放熱器とから形成し、前記本体ケース内において、前記第一の放熱器および前記吸熱器と、前記第二の放熱器との間の空間に回動自在に除湿ローターを設け、この除湿ローターは放湿部と吸湿部とからなり、前記放湿部は、第一の放湿部と第二の放湿部とから形成し、前記吸湿部は前記吸熱器と前記排気口との間の風路に設け、前記第一の放湿部は前記第一の放熱器と前記第二の放熱器との間の風路に設け、前記第二の放湿部は前記第二の放熱器と前記吸熱器との間の風路に設け、前記吸気口から前記本体ケース内に吸気した空気を前記第一の放熱器、前記除湿ローターの前記第一の放湿部、前記第二の放熱器、前記除湿ローターの前記第二の放湿部、前記吸熱器、前記除湿ローターの前記吸湿部を順次介して前記第一の排気口へと送風する第一の送風手段と、前記吸気口から前記本体ケース内に吸気した空気を前記第一の放熱器、前記除湿ローターの前記第一の放湿部、前記第二の放熱器、前記除湿ローターの前記第二の放湿部を順次介して前記第二の排気口へと送風する第二の送風手段を設けるとともに、前記第二の排気口には、屋外と連通する連通手段を備えたものであるので、効果的な排熱対策がとることができる。
【００４３】
すなわち、本発明においては、吸気口から本体ケース内に吸気した空気を第一の放熱器、除湿ローターの第一の放湿部、第二の放熱器、除湿ローターの第二の放湿部、吸熱器、除湿ローターの吸湿部を順次介して第一の排気口へと送風する第一の送風手段と、吸気口から本体ケース内に吸気した空気を第一の放熱器、除湿ローターの第一の放湿部、第二の放熱器、除湿ローターの第二の放湿部を順次介して第二の排気口へと送風する第二の送風手段を設けるとともに、第二の排気口には、屋外と連通する連通手段を備えたので、除湿ローターの吸湿部で吸湿した室内の湿気を、除湿ローターである第一の放湿部と第二の放湿部によって加熱した室内の空気が取り込み、屋外に排気することができるものである。
【００４４】
結果として、高温で高湿な空気を屋外に排気することができるので、効果的な排熱対策をとることができる。
【００４５】
従って、家庭用や事務用などの、除湿装置としての活用が期待されるものである。
【符号の説明】
【００４６】
１      本体ケース
２      吸気口
３      排気口
４      排気口
５      ヒートポンプ
６      圧縮機
７      放熱器
７ａ    放熱器
７ｂ    放熱器
８      膨張手段
９      吸熱器
１０    除湿ローター
１１    電動機
１２    放湿部
１２ａ  放湿部
１２ｂ  放湿部
１３    吸湿部
１４    送風手段
１５    送風手段
１６    連通手段
１６ａ  ダクト部
１６ｂ  断熱材
１７ａ  フィン部
１７ｂ  フィン部
１８ａ  管部
１８ｂ  管部
２７    放熱器
２７ａ  放熱器
２７ｂ  放熱器
２９    吸熱器
３０ａ  フィン部
３０ｂ  フィン部
３１ａ  管部
３１ｂ  管部
【図１】
2011092867.tif 000003
【図２】
2011092867.tif 000004
【図３】
2011092867.tif 000005
【図４】
2011092867.tif 000006